(57)【要約】【課題】当たり口への入賞率を変えなくても、当たりに対する期待感の高揚を持続させる。【解決手段】役物内部に流入したパチンコ球４５をＵ字型滑り台５５ｃの一端５５ａ側から他端５５ｂ側に向けて転動させ、他端５５ｂに設けられたＶ入賞口５７まで誘導する滑台誘導路５５を設ける。該滑台誘導路５５は、一端５５ａ側が他端５５ｂより高く形成され中央部の最下点の遊技面側にアウト口５８を備える。Ｕ字型滑り台５５ｃとの間に遊技球の受け入れを許容する間隔を確保した切欠部６１ａを一体に設けた回転制御部材６１を備える。回転制御部材６１は、切欠部６１ａが滑台誘導路５５に面して遊技球のＶ入賞口５７への通過を許容する回転姿勢と、円周面部６１ｂが滑台誘導路５５上に進入して遊技球の通過を遮る回転姿勢とを交互にとりながら回転する。滑台誘導路５５，回転制御部材６１と対称的に配置された滑台誘導路５６，回転制御部材６２を設ける。【選択図】図６
2008220712.tif 000002
【特許請求の範囲】
【請求項１】
遊技面と該遊技面を覆うガラス板との間に配置され、該遊技面を流下する遊技球が羽根で開閉される入口を通して選択的に流入する役物を備え、
該役物に流入した遊技球が役物内部に設けられたＶ入賞口に入ることに応答して遊技者に特典が与えられる弾球遊技機において、
前記役物の内部に流入した遊技球を中央部に最下点があり一端が他端より高く形成された略Ｕ字型の誘導路により前記一端側から前記他端側に向けて転動させ、前記他端側に設けられた前記Ｖ入賞口まで誘導する遊技球誘導手段と、
前記誘導路との間に前記遊技球の受け入れを許容する切欠部が一体に形成され、前記切欠部が前記誘導路に面して前記遊技球の前記Ｖ入賞口への通過を許容する回転姿勢と、前記切欠部以外の円周面が前記誘導路上に進入して前記他端側に向かう前記遊技球の通過が遮られる回転姿勢とをとりながら回転する回転制御部材と、を備えたことを特徴とする弾球遊技機。
【請求項２】
前記遊技球誘導手段は、前記最下点の前記遊技面側に前記遊技球を回収するアウト口が設けられたことを特徴とする請求項１記載の弾球遊技機。
【請求項３】
前記遊技球誘導手段は、前記最下点に前記ガラス板側に傾斜した溝が設けられ、前記遊技球をガラス板側に排出することを特徴とする請求項１記載の弾球遊技機。
【発明の詳細な説明】
【技術分野】
【０００１】
本発明は、遊技球が特定の入賞装置に入賞したときに、羽根が開放されて遊技球が内部に流入することが可能となる役物を備えた弾球遊技機に関するものである。
【背景技術】
【０００２】
パチンコ店などの遊技場に設置されるパチンコ機（弾球遊技機）の中には、羽根モノと呼ばれる役物を備えたものがある。この羽根モノと呼ばれる役物は、開閉動作する羽根が設けられており、例えば始動チャッカーにパチンコ球（遊技球）が入賞すると一定回数開閉動作する。この開閉動作の過程で開放された羽根によって受け入れられたパチンコ球は、例えば役物内部に設けられたステージ上を転動した後、ステージ上から落下して、ステージの下方に設けられた当たり口、又はハズレ口に入る。
【０００３】
例えば当たり口に入ると、遊技者に有利な当たりモードとなり、前記羽根が所定回数だけ開閉動作する。その開閉動作中に例えば１０個のパチンコ球が前記役物の内部に入ると羽根の開閉動作が終了し、１ラウンドが終了する。役物の内部に入ったパチンコ球が当たり口に入ると、再び前記羽根が開閉動作を開始し、２ラウンド目が開始される。この当たりモードでは、例えば１５ラウンドを上限として行われる。これにより、ラウンド数を多く消化すれば、数多くの賞球を得ることができる。
【０００４】
このような羽根モノと呼ばれる役物の中には、上述した当たり口に向けて送り込む可動物や、パチンコ球の転動方向を変化させる可動物等、種々の可動物が設けられており、これら可動物が動くことによって、役物の内部に入ったパチンコ球の挙動に変化を付与し、パチンコ球が当たり口に入ることへの遊技者の期待感を高めている。
【０００５】
下記特許文献１には、遊技盤上の所定入賞口に遊技球が入賞することにより抽選制御手段を作動させる球検出スイッチを設け、該抽選制御手段の抽選結果に従って、可変入賞装置内に設けた電動部材を制御して特定入賞口への入賞の難易度を設定するようにしたパチンコ機が記載されている。
【０００６】
また下記特許文献２には、モータで回転するカムによって球の流下阻止部材を制御して、所定数の球を下方へ流出させる球払い出し装置が記載されている。
【特許文献１】特開２００５−０３４５０１号公報
【特許文献２】特開平０６−２９６７４２号公報
【発明の開示】
【発明が解決しようとする課題】
【０００７】
しかしながら、このような可動物は、予め始動入賞してから所定時間後、或いは羽根が開閉動作を開始してから所定時間後に動くように制御されていることが多く、役物の内部に入ったパチンコ球は、可動物が動く前に回収されてしまうのがほとんどである。また、役物の内部に受け入れられるパチンコ球は、可動物にのみ影響されることから、パチンコ球の動きが単調になり当たりに対する期待感が薄れてしまう。このため、可動物を動かすタイミングを早くすることや羽根の開放時間を長くすることで当たり口に入るパチンコ球の入賞率を高くし、当たり口にパチンコ球が入ることへの期待感を高めることも考えられるが、予め設定されている稼動物による当たり外れでは遊技者の当たりへの期待感の高揚は持続しない。
【０００８】
本発明は、上記課題を解決するためになされたものであり、当たり口への入賞率を変えなくても、当たりに対する期待感の高揚を持続させることができるようにした弾球遊技機を提供することを目的とする。
【課題を解決するための手段】
【０００９】
上記目的を達成するために、本発明の弾球遊技機は、遊技面と該遊技面を覆うガラス板との間に配置され、該遊技面を流下する遊技球が特定の入賞装置に入賞して羽根が開放されることで、遊技球を内部に取り込むことが可能な開き位置と遊技球を受け入れない閉じ位置との間で回動する羽根を有する役物を備える。前記羽根が開き位置にあるときに受け入れられた遊技球がＶ入賞口に入ることで遊技者に特典が与えられる。なお、特典とは、より多くの入賞が得やすくなる大当たり状態等が挙げられる。
【００１０】
前記役物は、中央部に最下点があり一端が他端より高く形成された略Ｕ字型のＵ字型滑り台を有する滑台誘導路を備え、前記遊技球を前記Ｕ字型滑り台の一端側から他端側に向けて転動させ、他端側に設けられた前記Ｖ入賞口まで誘導する。また、誘導路との間に遊技球の受け入れを許容する間隔を確保した切欠部を一体に設けた回転制御部材を備える。該回転制御部材は、切欠部が誘導路に面して遊技球のＶ入賞口への通過を許容する回転姿勢と、切欠部以外の円周面部分が誘導路上に進入して他端側に向かう遊技球の通過が遮られる回転姿勢とをとりながら回転する。
【００１１】
また、前記滑台誘導路は、前記最下点の前記遊技面側にアウト口を設け、Ｖ入賞口に入賞できなかった遊技球を回収する。あるいは、前記最下点に前記ガラス板側に傾斜した溝を設け、前記遊技球を前記ガラス板側に排出する。
【発明の効果】
【００１２】
本発明によれば、弾球遊技機の役物内部に取り込まれた遊技球は、役物内部を転動し、中央部に最下点がある略Ｕ字型のＵ字型滑り台の下り斜面を滑落して、その慣性によって続く上り斜面を上っていく。上り斜面を上りきった遊技球は、その先にあるＶ入賞口に達する。しかし、遊技球は、それまでの転動状況によって慣性力が異なるため、全ての遊技球が上り斜面を上りきれる訳ではなく、力なく途中で戻ってしまいアウト口に回収されるものもある。ただ、非常に稀ではあるが、落下し始める前後で、勢いのある次の遊技球がぶつかってきた時には、そのエネルギーを貰って、上り斜面を上りきることもある。
【００１３】
また、上りきる力のある遊技球であっても、タイミングが合わなければ、前記Ｕ字型滑り台上に進入した前記回転制御部材の突起部に衝突して、その慣性力を失い、落下を余儀なくされることになる。このように、前記滑台誘導路および前記回転制御部材を有する役物を備えた弾球遊技機は、遊技球の挙動を予測することが難しく、もしかしたらＶ入賞口に入るかもという期待感を遊技者に強く与え続けることができる。
【発明を実施するための最良の形態】
【００１４】
図１は、本発明を実施したパチンコ機（弾球遊技機）の正面図である。パチンコ機１０の前面上部には、前面扉１１が設けられている。この前面扉１１の中央には開口１１ａが設けられおり、この開口１１ａは前面扉１１の内側から例えばガラス板（図示せず）によって覆われている。遊技者は開口１１ａを覆うガラス板を介して、遊技領域２０に設けられた構造物や、遊技領域２０を流下するパチンコ球４５（図３参照）を視認することができる。
【００１５】
パチンコ機１０の前面下部には、パチンコ球４５を供給する供給皿１５や、遊技領域２０にパチンコ球４５を打ち出す際に操作される操作ハンドル１６が設けられている。操作ハンドル１６は、その操作量によってパチンコ球４５の打ち出し強さが変化するようになっている。
【００１６】
遊技領域２０は、ガイドレール２１によって囲まれた略楕円形状の領域から構成され、その略中央に羽根モノと呼ばれる役物２５が設けられている。この役物２５の側方には、風車２６や、図示を省略した障害釘が設けられている。また、役物２５の下方には、複数の始動チャッカー２７〜２９が設けられている。遊技領域２０の最下部には、始動チャッカー２７〜２９に入賞しないパチンコ球４５を回収するアウト口３０が設けられている。
【００１７】
図２に示すように、役物２５は、羽根３５，３６と、これら羽根３５，３６が組み付けられる役物本体３７とから構成されている。羽根３５，３６は、前記始動チャッカー２７〜２９のいずれかにパチンコ球４５が入ると所定回数だけ開閉動作する。例えば始動チャッカー２８あるいは２９にパチンコ球４５が入ると、羽根３５，３６が１回開閉動作される。また、始動チャッカー２７にパチンコ球４５が入ると、羽根３５，３６が２回開閉動作される。
【００１８】
図３及び図４に示すように、羽根３５は、役物２５を正面から視認したときに、長手方向の一端部を回動中心（図３中符号Ｚ）として、パチンコ球４５を受け入れない閉じ位置（図３）と、パチンコ球４５を受け入れる開き位置（図４）との間で回動する。羽根３５は、回動中心部から先端部に向けて、その幅が狭くなるように形成されている。
【００１９】
羽根３６は，羽根３５と左右対称の形状をしており、動作も対称的であるので、説明は羽根３５についてのみとし、羽根３６については省略する。羽根３５が閉じ位置にある場合、羽根３５の先端部と役物本体３７の側壁３７ａとは略当接した状態となっており、パチンコ球４５は羽根３５の左側面３５ｂに沿って流下する。
【００２０】
羽根３５が開き位置にある場合は、羽根３５の右側面３５ａと役物本体３７の側壁３７ａとの間はパチンコ球４５の直径よりも広い隙間が形成されているので、役物２５に沿って流下するパチンコ球４５は、右側面３５ａと側壁３７ａとの間に入り込み、役物本体３７に設けられた送込通路４６へと流下する。この送込通路４６への流下の際に、入賞検知センサ４８によってパチンコ球４５の通過が検知される。
【００２１】
図５に示すように、羽根３５が開き位置から閉じ位置へ回動する過程（矢印Ｓ）で、パチンコ球４５が受け入れられる場合がある。この場合、パチンコ球４５は右側面３５ａと側壁３７ａの間に挟まる。羽根３５の右側面３５ａの形状は、パチンコ球４５が右側面３５ａと側壁３７ａの間に挟まった時に、側壁３７ａとの間隔が、上方の入口側が狭く、下方の出口側が広くなるように形成されている。
【００２２】
挟み込まれたパチンコ球４５は、挟み込まれた状態を維持したまま矢印Ｕの方向に落下する。そして、羽根３５が閉じ位置に到達する直前で挟持が解除され、パチンコ球４５が送込通路４６の内部に流下する。このように、パチンコ球４５が羽根３５と側壁３７ａとの間に挟み込まれた場合には、パチンコ球４５がそのまま受け入られた場合に比べて、送込通路４６の内部に落下するまでに多くの時間を要することになる。
【００２３】
図２に戻って、役物本体３７の中央には略方形状の凹部４０が設けられている。この凹部４０の下部中央には、ステージ４１が設けられている。このステージ４１は、その長手方向の中央部分がその両端部よりも高くなるように湾曲している。このステージ４１の後端部は、ステージ４１を転動するパチンコ球４５がステージ４１から落下しないように、上方に向けて折り曲げられた形状（以下、落下防止部４１ａ）となっている。そして、落下防止部４１ａの中央が、パチンコ球４５の直径よりも広い幅で切り欠かれている（以下、切欠部４１ｂ）。また、このステージ４１の両端部には、落下孔４２，４３が設けられている。これにより、パチンコ球４５がステージ４１を転動する過程で、上述した切欠部４１ｂから落下する、或いは、落下孔４２，４３から落下する。
【００２４】
図６に示すように、切欠部４１ｂから落下したパチンコ球４５は、ステージ４１の下方に設けられたＬ字型誘導路５１および５２の境界稜線５０上に落下し、図６中Ａ方向あるいはＢ方向のいずれかに振り分けられる。このＬ字型誘導路５１および５２は、境界稜線５０から離れるに従って下る傾斜がついている。また、落下孔４２あるいは４３から落下したパチンコ球４５は、Ｌ字型誘導路５１あるいは５２の終点近くに落下する。Ｌ字型誘導路５１および５２の外側側面には、パチンコ球４５がＬ字型誘導路５１あるいは５２から不用意な場所へ落下しないように、落下防止壁５１ａおよび５２ａが設けられている。
【００２５】
Ｌ字型誘導路５１および５２の前方に配置された箱部６０の内部には、回転制御部材６１および６２の回転を制御する駆動装置（図示せず）が設けられている。また、箱部６０の前方には滑台誘導路５５および５６が配置され、その形状は、前記箱部６０の前壁に設けられたＶ入賞口５７に対して、左右対称となっている。滑台誘導路５５は、前記Ｌ字型誘導路５１の終端に続く一端５５ａと、Ｖ入賞口５７へパチンコ球４５を誘導する切込み５７ａが設けられた他端５５ｂと、一端５５ａと他端５５ｂの間に配置され中央部に最下点を持つ略Ｕ字型をしたＵ字型滑り台５５ｃによる誘導路で構成される。一端５５ａは他端５５ｂより高く形成され、Ｕ字型滑り台５５ｃの最下点には、箱部６０の下部に設けられたアウト口５８へパチンコ球４５を誘導する切込み５８ａが設けられている。滑台誘導路５５と左右対称に配置された滑台誘導路５６は、滑台誘導路５５と同じであるから説明は省略するが、記号５９はアウト口である。
【００２６】
図７および図８に示すように、回転制御部材６１は、円周面の一部に切欠部６１ａを備えた円柱形で、その円周面部６１ｂがＵ字型滑り台５５ｃ上に進入して前記パチンコ球４５の通過を遮る回転姿勢と、前記切欠部６１ａが前記Ｕ字型滑り台５５ｃに面して前記Ｕ字型滑り台５５ｃとの間に前記パチンコ球の通過を許容する間隔を確保した回転姿勢をとりながら、前記羽根３５が開くのに合わせて反時計方向に回転し、一定時間回転した後に停止する。回転制御部材６２も回転制御部材６１と同様に、円周面に切欠部６２ａを備え、前記羽根３６が開くのに合わせて時計方向に回転し、一定時間回転した後に停止する。
【００２７】
Ｖ入賞口５７に入ったパチンコ球４５は、Ｖ入賞検知センサ（図示せず）によって検知され、Ｖ入賞検知センサは、その検知信号（以下、大当たり信号という）をＣＰＵに出力する。例えば通常状態で、大当たり信号が出力された場合には、ＣＰＵは、遊技状態を通常状態から大当たり状態に移行させるとともに、大当たり状態におけるラウンド数の抽選を行う。また、大当たり状態で、大当たり信号が出力された場合には、ＣＰＵは、大当たり信号の出力を受けて、次のラウンドを行う処理を実行する。払出制御装置は、ＣＰＵからの払出信号を受けて、賞球として所定の数のパチンコ球４５を払い出す。
【００２８】
このような構成のパチンコ機１０において、前記始動チャッカー２８にパチンコ球４５が入賞した場合について説明する。始動チャッカー２８にパチンコ球４５が入賞すると、始動チャッカー２８の内部に設けられた始動入賞検知センサ（図示せず）がオンとなり、始動入賞信号がＣＰＵに入力される。この始動入賞信号を受けて、ＣＰＵは、羽根３５、３６の駆動源であるソレノイドへの給電を行い、これにより、羽根３５、３６がそれぞれ閉じ位置から開き位置へと回動する。ソレノイドへの給電は一定時間後に停止される。これにより、羽根３５，３６がそれぞれ開き位置から閉じ位置へと回動する。始動入賞チャッカー２７にパチンコ球４５が入賞した場合は、前記羽根３５、３６が一度開閉された後、所定時間後、再度開閉が１回行われる。
【００２９】
羽根３５、３６が開き位置にある時、役物２５に沿って流下するパチンコ球４５は、役物２５の内部に取り込まれる。内部に取り込まれたパチンコ球４５は、ステージ４１に流下し、ステージ４１を転動して切欠部４１ｂ或いは落下孔４２，４３から落下する。落下したパチンコ球４５はＬ字型誘導路５１および５２を経て滑台誘導路５５あるいは５６の一端５５ａあるいは５６ａに達する。このとき、内部に取り込まれてからステージ４１に流下するまでの時間は、パチンコ球４５が羽根と側壁の間に挟まれた場合とそうでない場合とでは大きく異なってくる。
【００３０】
ここでパチンコ球４５が前記一端５５ａに達した以降について説明する。一端５５ａからＵ字型滑り台５５ｃを滑落したパチンコ球４５は、その慣性力によってＵ字型滑り台５５ｃを上る。このとき、前記回転制御部材６１は図８のＣの方向に回転している。Ｕ字型滑り台５５ｃを上ってきたパチンコ球４５が回転制御部材６１に当接する直前で、回転制御部材６１がパチンコ球４５の通過を許容する回転姿勢であった場合（図８）は、パチンコ球４５は、Ｕ字型滑り台５５ｃを上りきり他端５５ｂに達し、切込み５７ａからＶ入賞口５７に入ることができる。
【００３１】
図９に示すように、パチンコ球４５が慣性力によってＵ字型滑り台５５ｃを上ったときに、回転制御部材６１がパチンコ球４５の通過を遮る回転姿勢にあった場合は、パチンコ球４５は円周面部６１ｂに衝突して慣性力を失い落下、Ｕ字型滑り台５５ｃの最下点に設けられた切込み５８ａに誘導され、アウト口５８に収納される。パチンコ球４５が、Ｕ字型滑り台５５ｃを上った時に、回転制御部材６１の回転姿勢がパチンコ球４５の通過を遮る姿勢にあるか許容する姿勢にあるかは、パチンコ球４５のそれまでの挙動によって異なってくるが、羽根３５と側壁３７ａの間に挟まった場合や、切欠部４１ｂから落下するのか、落下孔４２，４３から落下するのかによって、そのタイミングが大きく変化する。
【００３２】
また、回転制御部材６１の回転姿勢がパチンコ球４５の通過を許容する場合であっても、パチンコ球４５の慣性力が僅かでも足らなければＵ字型滑り台５５ｃを上りきることはできないのだが、このときタイミングによっては、図１０に示すように、回転制御部材６１の切欠部６１ａが慣性力を失ったパチンコ球４５を掬い上げ、他端５５ｂへ載せることもある。図１１に示すように、他端５５ｂへ載せられたパチンコ球４５は、更に押されて切込み５７ａからＶ入賞口５７に誘導される。
【００３３】
図１２に示すように、パチンコ球４５がＵ字型滑り台５５ｃを上りきる直前で慣性力を失った瞬間に、続いて上ってきた次のパチンコ球４５が、勢いよく衝突した場合には、そのエネルギーを受継いで、慣性力を失った最初のパチンコ球４５が、Ｕ字型滑り台５５ｃを上りきり、Ｖ入賞口５７に入ることもある。
【００３４】
前記実施形態では、Ｕ字型滑り台５５ｃ，５６ｃを上りきれずに滑落したパチンコ球を回収するために、Ｕ字型滑り台５５ｃ，５６ｃの最下点の遊技面側にアウト口５８，５９を設けたが、図１３に示すように、Ｕ字型滑り台５５ｃ，５６ｃの最下点にガラス板側に傾斜した傾斜溝７１，７２を設け、前記パチンコ球４５を、Ｕ字型滑り台５５ｃ，５６ｃよりガラス板側に排出し、役物本体３７の下枠３７ｅに設けた排出孔７３，７４に回収されるようにしても良い。
【００３５】
前記実施形態では、滑台誘導路および回転制御部材を２ヶ所づつ設けたが、数を限定するものではなく、滑台誘導路および回転制御部材は、１つでも良いし、３つ以上設けても良い。
【００３６】
前記実施形態では、回転制御部材６１，６２は、羽根３５，３６が開くのに合わせて回転し、一定時間回転した後に停止するようにしたが、これに限るものではなく、入賞検知センサ４８の検知信号によって回転を制御しても良いし、他の検知信号によって回転を制御するようにしても良い。あるいは操作ハンドル１６が操作されている状態を検知して回転を制御するようにしても良い。また、検知信号発生から回転制御部材６１，６２が回転を開始するまでの時間を設定し、この設定された時間に基づいて回転制御部材６１，６２の回転が行われるようにしてもよい。
【図面の簡単な説明】
【００３７】
【図１】本発明のパチンコ機の外観を示す正面図である。
【図２】役物の構成を示す斜視図である。
【図３】左側の羽根が閉じ位置にある場合の羽根近傍の状態を示す正面図である。
【図４】左側の羽根が開き位置にある場合の羽根近傍の状態を示す正面図である。
【図５】羽根と役物本体の側壁とによってパチンコ球が挟み込まれた状態を示す正面図である。
【図６】役物下部に配置された滑台誘導路および回転制御部材周辺部を表わす斜視図である。
【図７】滑台誘導路を上から見た図である。
【図８】回転制御部材がパチンコ球の通過を許容する姿勢にある時の説明図である。
【図９】回転制御部材がパチンコ球の通過を遮る姿勢にある時の説明図である。
【図１０】回転制御部材の切欠部がパチンコ球を掬い上げる姿勢にある時の説明図である。
【図１１】回転制御部材の切欠部がパチンコ球をＶ入賞口へ押し入れる時の説明図である。
【図１２】次のパチンコ球が前のパチンコ球に衝突した時の説明図である。
【図１３】別の実施形態であるパチンコ球をガラス板側に排出する構造の説明図である。
【符号の説明】
【００３８】
１０  パチンコ機（弾球遊技機）
２５  役物
３５，３６  羽根
３７ａ，３７ｂ  側壁
４５  パチンコ球
４１  ステージ
５１，５２  Ｌ字型誘導路
５５，５６  滑台誘導路
５５ｃ，５６ｃ  Ｕ字型滑り台
５７  Ｖ入賞口
５８，５９  アウト口
６１，６２  回転制御部材
６１ａ，６２ａ  切欠部
６１ｂ，６２ｂ  円周面部
７１，７２  傾斜溝
７３，７４  排出孔
【図１】
2008220712.tif 000003
【図２】
2008220712.tif 000004
【図３】
2008220712.tif 000005
【図４】
2008220712.tif 000006
【図５】
2008220712.tif 000007
【図６】
2008220712.tif 000008
【図７】
2008220712.tif 000009
【図８】
2008220712.tif 000010
【図９】
2008220712.tif 000011
【図１０】
2008220712.tif 000012
【図１１】
2008220712.tif 000013
【図１２】
2008220712.tif 000014
【図１３】
2008220712.tif 000015